(57)【特許請求の範囲】
【請求項１】
樋部、及びこの樋部に設けた対の内向き突片を備えた下樋と、上面の長手方向に多数個の細孔を備えた給水パイプ、及びこの給水パイプの上に設けた水拡散板、並びに下向きの抱持片を備えた上樋と、この上下樋の左右端側面に設けた左右枠体と、この左右枠体の外側にそれぞれ設けたブラケットと、でなる框内にパッドを設けた気化熱（潜熱）冷房式の冷却用パッドの構造において、
前記框の下樋の内向き突片に、前記パッドの下端を、この框の前記上樋の下向きの抱持片に、このパッドの上端をそれぞれ係止するとともに、前記ブラケットを、ハウスの胴縁に係止し、当該パッドを妻面に複数基設ける構成とし、
前記水拡散板と、前記給水パイプは、前記上樋に設けた天板に設けたことを特徴とする気化熱冷房式の冷却用パッドの構造。
【請求項２】
前記水拡散板は、前記給水パイプの上に配備されるとともに、半円弧状のクラウン部とその両端に設けた庇部からなるそのハット部には、この給水パイプの噴出口が位置し、前記庇部は、当該給水パイプの周辺外側に位置する構成とした請求項１に記載の気化熱冷房式の冷却用パッドの構造。
【請求項３】
前記パッドの上端と、上樋との間に空間を形成し、この空間に、パッド片、拡散板、又は拡散素材を、横設し、前記水拡散板からの水を、この上樋の短手方向、及び／又は、長手方向に拡散可能とする構成とした請求項１に記載の気化熱冷房式の冷却用パッドの構造。
【請求項４】
前記給水パイプにポンプを接続する構成とした請求項１に記載の気化熱冷房式の冷却用パッドの構造。
【請求項５】
前記ポンプを、前記框、又は地上に設置した水槽に設ける構成とした請求項１に記載の気化熱冷房式の冷却用パッドの構造。
【請求項６】
前記ポンプと給水パイプとを、一枚でなるパッドに、それぞれ付設する構成とした請求項１に記載の気化熱冷房式の冷却用パッドの構造。
【請求項７】
前記左右枠体のブラケットを、前記ハウスの前記胴縁に設けるとともに、この左右枠体の下端を、このハウスの他の胴縁に設ける構成とした請求項１に記載の気化熱冷房式の冷却用パッドの構造。
【発明の詳細な説明】
【技術分野】
【０００１】
本発明は、気化熱（潜熱）冷房式の冷却用パッド（空気透過パッド）の構造に関し、主として、ハウスの梁とか胴縁等の横材に、簡易かつ迅速に取付け、又は取外しできる気化熱冷房式の冷却用パッドの構造に関する。
【背景技術】
【０００２】
従来、この種の気化熱冷房式の冷却用パッドに関しては、本出願人も提案している。特開２０１２−１４７６９６号公報記載の発明である。この発明は、畜舎等の飼育建屋における冷却用パッドの利用であり、建屋の妻面の躯体に、支持鋼材を利用して設置する構造であり、手間と資材とを有すること、又は簡易な取付けに関しては、改良の余地があると考えられる。
【０００３】
その他の気化熱冷房式の冷却用パッドに関しては、特開昭５２−２４８５１号公報と、特開平９−４７１６４号公報に記載の発明がある。これらの発明は、パッドに水を供給するに際して、上部に給水パイプを付設した単純な構造であり、パッドに、水を均一に給水することは至難である。従って、ハウス内への冷気の供給を、素早く、かつ均等に行うには、十分とは考えられない。
【０００４】
【特許文献１】特開２０１２−１４７６９６号公報
【特許文献２】特開昭５２−２４８５１号公報
【特許文献３】特開平９−４７１６４号公報
【発明の概要】
【発明が解決しようとする課題】
【０００５】
上記に鑑み、本発明は、ハウス内への冷気の供給を、素早く、かつ均等に行うことができる冷却用パッドの構造を提供する。また、本発明は、ハウス内の躯体に、素早く、例えば、ワンタッチで取付けるか、又は取外しできる冷却用パッドの構造を提供する。
【課題を解決するための手段】
【０００６】
上記の課題を解決するために、本発明は、請求項１〜７を提供する。
【発明の効果】
【０００７】
請求項１の発明は、樋部、及び樋部に設けた対の内向き突片を備えた下樋と、上面の長手方向に多数個の細孔を備えた給水パイプ、及び給水パイプの上に設けた水拡散板、並びに下向きの抱持片を備えた上樋と、上下樋の左右端側面に設けられた左右枠体と、左右枠体の外側にそれぞれ設けたブラケットと、でなる框内にパッドを設けた気化熱（潜熱）冷房式の冷却用パッドの構造において、
框の下樋の内向き突片に、パッドの下端を、框の上樋の下向きの抱持片に、パッドの上端をそれぞれ係止するとともに、ブラケットを、ハウスの胴縁（躯体、梁、支持部材）に係止し、パッドを妻面に複数基設ける構成とし、
水拡散板と、給水パイプは、上樋に設けた天板に設けたことを特徴とする気化熱冷房式の冷却用パッドの構造であり、ハウス内への冷気の供給を、素早く、かつ均等に行うことができることと、パッドをハウスの躯体に、素早く、例えば、ワンタッチで取付けること、又は取外しできること、等の特徴がある。
【０００９】
請求項２の発明は、水拡散板は、給水パイプの上に配備されるとともに、半円弧状のクラウン部とその両端に設けた庇部からなるそのハット部には、給水パイプの噴出口が位置し、庇部は、給水パイプの周辺外側に位置する気化熱冷房式の冷却用パッドの構造であり、請求項１に記載の特徴と、水拡散板を介して、水（流体）を、パッドの広範囲に、かつ望ましくは、略均等に拡散できる特徴がある。
【００１０】
請求項３の発明は、パッドの上端と、上樋との間に空間を形成し、空間に、パッド片、拡散板、又は拡散素材を、横設し、水拡散板からの水を、上樋の短手方向、及び／又は、長手方向に拡散可能とする気化熱冷房式の冷却用パッドの構造であり、請求項１に記載の特徴と、水拡散板を介して、水（流体）を、パッドの広範囲に、かつ均等に拡散できる特徴がある。
【００１１】
請求項４の発明は、給水パイプ（ホース）にポンプを接続する気化熱冷房式の冷却用パッドの構造であり、請求項１に記載の特徴と、水の給水パイプへの供給の安定性と迅速性の確保と、水を一枚、又は複数枚のパッドに供給できる特徴がある。
【００１２】
請求項５の発明は、ポンプを、框、又は地上に設置した水槽に設ける気化熱冷房式の冷却用パッドの構造であり、請求項１に記載の特徴と、水の給水パイプへの供給の安定性と、供給量の確保と、水を一枚、又は複数枚のパッドに供給できる特徴がある。
【００１３】
請求項６の発明は、ポンプと給水パイプとを、一枚でなるパッドに、それぞれ付設する気化熱冷房式の冷却用パッドの構造であり、前記請求項４と請求項５の特徴を達成できる。
【００１４】
請求項７の発明は、左右枠体のブラケットを、ハウスの胴縁に設けるとともに、左右枠体の下端を、躯体の胴縁（躯体、梁、支持部材）に設ける気化熱冷房式の冷却用パッドの構造であり、請求項１に記載の特徴と、パッドの躯体への安定支持と、ガタツキ防止に役立つ特徴がある。
【図面の簡単な説明】
【００１５】
【図１】ハウスの妻面に複数基の気化熱冷房式の冷却用パッドを設置した状態の縮尺正面図である。
【図２】図１に示した気化熱冷房式の冷却用パッドを複数基示した正面図である。
【図３】図２の側面図である。
【図４−１】パッド二枚を一組として、冷却用パッドを構成した一例を示した正面図である。
【図４−２】図４−１に示した冷却用パッドを構成した部品の上下樋と、左右枠体及びブラケットとを示した図である。
【図５−１】パッド二枚を一組として、冷却用パッドを構成した一例を示した正面図である。但し、図４−１と同じである。
【図５−２】図５−１に示した冷却用パッドを構成した部品の上下樋と、左右枠体及びブラケット、並びに断面視したパッドとを示した一部省略の図である。
【図５−３】図５−２に示した断面視したパッドを拡大して示し、その一部を省略した図である。
【図６−１】パッド一枚を一組として、冷却用パッドを構成した一例を示した正面図である。
【図６−２】図６−１に示した冷却用パッドを構成した部品の上下樋と、左右枠体及びブラケットとを示した図である。
【図７】その他の気化熱冷房式の冷却用パッドの要部を示した拡大正面図である。
【発明を実施するための形態】
【００１６】
図４−２の図、又は図５−１に示した正面図〜図５−３に示した拡大図において、Ａは方形状の框であり、この框Ａは、左右枠体１、２（左右縦框を兼ねる。框Ａの高さとなる）と、左右枠体１、２間（図５−２において、左右枠体１、２の長手方向Ｙにおいて対峙する間）の上下に配した、この左右枠体１、２の幅（図５−３において、短手方向Ｘの幅の寸法）よりやや幅狭（Ｘ方向の寸法の幅狭）の上下樋３、４（上下框を兼ねる）とで構成する。この一例では、框Ａは、図１、図２とか、図４−１と図４−２等の如く、長方形状であって、左右枠体１、２の幅の寸法＞上下樋３、４の幅の寸法の関係である。尚、左枠体１と、右枠体２の幅は、後述する梁Ｈ２より広くし、かつ後述するパッド６の幅より広くして、このパッド６（框Ａ）を、躯体Ｈ１に安定して支持する。また、上樋３の長さ（長手方向Ｙの寸法）、及び／又は、幅（短手方向Ｘの寸法）は、下樋４の長さ（長手方向Ｙの寸法）、及び／又は、幅（短手方向Ｘの寸法）と均等である。
【００１７】
下樋４は、図５−３に示すように、拡開した凹形状の樋部４００、及びこの樋部４００の内面に設けた下向き傾斜面を備えた対の内向き突片４０１（内方先端に誘導垂下片を備えた）と、並びに樋部４００の先端に拡開状に広がった先端部４０２、４０２（対の場合は、一方の符号とする）とで構成されており、左右枠体１、２内に収まっている。図示のように、内向き突片４０１でパッド６の下端６ａを支える。また、先端部４０２は、パッド６の下端６ａのガイドとしての役割とか、パッド６より流下した水を受入れるためのガイドとして役割がある。
【００１８】
上樋３は、図５−３に示すように、左右枠体１、２の長手方向Ｙ（本発明では長手方向Ｙは共通する）の対峙する両面に左右対称に取付けられる（短手方向Ｘの背部が対峙し取付けられる）コ字形の対の本体部３００、３００（対の場合には、一方の符号を示し、例えば、単に本体部とする）と、この本体部３００の下側折曲げ片３００ａの先端より、本体部３００の縦板片３００ｂに向かって傾斜した抱持片３０１とを有する。そして、下側折曲げ片３００ａと抱持片３０１とで、パッド６の上端６ｂを抱持する。また、上側折曲げ片３００ｃ間には、天板７が架承されるとともに、この天板７の下面に、上から、順に設けた水拡散板８（散水板）及び給水パイプ１０が、上樋３の空間部３０２の所定の位置に配備される。この水拡散板８は、ハット形のクラウン部８００と、このクラウン部８００より左右に延びた庇部８０１とで構成されており、このクラウン部８００の下側に給水パイプ１０が位置し、かつ給水パイプ１０の細孔（図示せず）が、クラウン部８００に向かって開口する。これにより、細孔から噴射される水が、クラウン部８００の内面に衝突する構造となっている。水は衝突後、水拡散板８の庇部８０１の内部８０１ａ（内側）から端部８０１ｂ（外側）に向かって流れ、端部８０１ｂより本体部３００の内面３００−１をつたい流れる構成である。そして、この内面３００−１をつたい流れる水は、内面３００−１に下向きに突出傾斜した誘導片３０３を流れた後、誘導片３０３の端部３０３ａより流下する。対の抱持片３０１に形成された隙間は、パッド６の上端部６ｂに被嵌される。即ち、上端部６ｂは、対の抱持片３０１で支持される。前記誘導片３０３の端部３０３ａより流下した水は、対の抱持片３０１で支持されたパッド６の中心部と、その近傍に給水される。
【００１９】
給水パイプ１０のホース１０ａにはポンプ１１が設けられており、二枚パッド６の一組に対して、一基のポンプ１１を付設する。但し、図６−１と図６−２に示した例では、一枚パッド６に対して、一基のポンプ１１を付設する。いずれにしても、ポンプ１１の能力に対応して、パッド６の枚数が決定される。図中１２は水槽である。
【００２０】
左右枠体１、２の外側上端部１ａ、２ａには、鍵形のブラケット１３、１３が設けられており、ブラケット１３は、ハウスＨの躯体Ｈ１の妻面に設けた胴縁Ｈ２に支持されることで、多数のパッド６が妻面全体に支持される。図中Ｈ３は梁で、躯体Ｈ１とか、躯体Ｈ１の屋根等に設ける。前記胴縁Ｈ２の他には、躯体Ｈ１とか、梁Ｈ３、躯体Ｈ１・ハウスＨに設けた支持部材（図示せず）に、ブラケット１３を支持し、パッド６を設置することも有り得る。
【００２１】
このパッド６を、枠体（框Ａ）に組立てる一例を説明すると、下樋４の長手方向Ｙの両端を、左右枠体１、２の内側に取付けた後、この下樋４の内向き突片４０１に、パッド６の下端６ａを係止する。そして、このパッド６の上端６ｂの両側に、上樋３の対峙する各抱持片３０１を添設した状態で、その長手方向Ｙの両端を、左右枠体１、２の内側に取付けるとともに、この上樋３の本体部３００に、水拡散板８と給水パイプ１０とを取付けた天板１５を、架承する。これにより、水拡散板８と給水パイプ１０が、本体部３００の背部間にできた空間部３０２にセットされる。パッド６、及び／又は、枠体（框Ａ）の組立ては、一例であり、この組立と請求の範囲の構成とは、原則として関係しない。このパッド６を、ハウスＨに取付ける（支持する）には、対のブラケット１３を、妻面に設けた胴縁Ｈ２に支持するとともに、左右枠体１、２の下端の楔片１ｂ、２ｂを、胴縁Ｈ２、又は胴縁Ｈ２に設けた集合樋Ｈ４に取付ける。このブラケット１３と楔片１ｂ、２ｂとの係止（支持）で、パッド６は、躯体Ｈ１（ハウスＨ）に確実に支持される。
【００２２】
図中１６は、下樋４に設けた排水管である。この排水管１６からの水は、例えば、梁Ｈ３を兼ねる集合樋Ｈ４、又は同胴縁Ｈ２等に設けた集合樋Ｈ４に流れる。集合樋Ｈ４は、後述する水槽に繋がる。
【００２３】
次に水の流れに関して説明すると、脚を備えた水槽１２の水（水位調整する）は、ポンプ１１よりホース１０ａを介して給水パイプ１０に送られた後、給水パイプ１０の長手方向Ｙの上面頂点に一直線に開口した細孔（噴射孔）より、水拡散板８のクラウン部８００の内面に、均等に噴射されるとともに、クラウン部８００の内面に衝突する。その後、水は、水拡散板８の庇部８０１の内部８０１ａから端部８０１ｂに向かって流れ、端部８０１ｂより、上樋３の本体部３００の内面３００−１をつたい流れる。この上樋３の誘導片３０３より、パッド６の上端６ｂに、均等に流れ、このパッド６を、速やか（望ましくは、数分で）、かつ均等に湿らせた後に、その下端６ａに流れ、下樋４の排水管１６より、躯体Ｈ１に設けた胴縁Ｈ２を兼ねる集合樋Ｈ４に流れ、水槽１２に戻る構造である。本発明では、水槽１２は、各下樋４に直接か、又は分離して設けるが、この直接は、簡易な運搬とか、設置とかに有効である。
【００２４】
前記パッド６を、速やか、かつ均等に湿らせる手段の他の例として、パッド６の上面６ｂと、上樋３との間に、パッド片２０を、配置する。このパッド片２０とは、素材の波形を左右方向に付設する構造である。尚、通常のパッド６は、図５−３に一部示すように、素材の波形が上下方向に付設される。このパッド片２０の長手方向Ｙに、迅速かつ均等に水を浸透させることで、パッド６に同様に水を浸透できる特徴がある。さらに図示しないが、前記目的達成に、前記間に、例えば、ガーゼ、不織布等の湿潤速度の優れた布地を付設することも可能である。
以上で説明した各実施例は、好ましい各例を示したものであり、同様な効果と特徴を有する他の構造、手段は、本発明の範疇である。
【符号の説明】
【００２５】
Ａ  框
１  左枠体
１ａ  上端部
１ｂ  楔片
２  右枠体
２ａ  上端部
２ｂ  楔片
３  上樋
３００  本体部
３００−１  内面
３００ａ  下側折曲げ片
３００ｂ  縦板片
３０１  抱持片
３０２  空間部
３０３  誘導片
３０３ａ  端部
４  下樋
４００  樋部
４０１  内向き突片
４０２  先端部
６  パッド
６ａ  下端
６ｂ  上端
７  天板
８  水拡散板
８００  クラウン部
８０１  庇部
８０１ａ  内部
８０１ｂ  端部
１０  給水パイプ
１０ａ  ホース
１１  ポンプ
１２  水槽
１３  ブラケット
１５  天板
１６  排水管
２０  パッド片
Ｙ  長手方向
Ｘ  短手方向
Ｈ  ハウス
Ｈ１  躯体
Ｈ２  胴縁
Ｈ３  梁
Ｈ４  集合樋
【図１】
0006628278.tif 000002
【図２】
0006628278.tif 000003
【図３】
0006628278.tif 000004
【図４−１】
0006628278.tif 000005
【図４−２】
0006628278.tif 000006
【図５−１】
0006628278.tif 000007
【図５−２】
0006628278.tif 000008
【図５−３】
0006628278.tif 000009
【図６−１】
0006628278.tif 000010
【図６−２】
0006628278.tif 000011
【図７】
0006628278.tif 000012